(57)【要約】【課題】観賞用水槽の内部に配管、良好な液質を所定品質に維持するための器具を配置することなく空間を広く活用し広範囲な方向から観賞できるようにする。【解決手段】水槽に溜められた液体の内部で育成される生物を観賞するために透明部材で形成される観賞用水槽１０１ａと、液体の液質を所定品質に維持するための器具用水槽１０２ａと、観賞用水槽１０１ａの底部と器具用水槽１０２ａの底部とを接続する連通管として機能する排水管１０４ａと、観賞用水槽１０１ａの底部と器具用水槽１０２ａの底部とを接続する給水管１０５ａと、を備える。前記器具用水槽の内部に配されるポンプは、観賞用水槽１０１ａと器具用水槽１０２ａとの間で、排水路１０４ａおよび給水路１０５を介して液体を循環させ、観賞用水槽１０１ａの液面の位置と器具用水槽１０２ａの液面の位置とが等しくなるようにする。【選択図】図１９
2011250782.tif 000002
【特許請求の範囲】
【請求項１】
水槽に溜められた液体の内部で育成される生物を観賞するために透明部材で形成される観賞用水槽と、
前記液体の液質を所定品質に維持するための器具用水槽と、
前記観賞用水槽と前記器具用水槽とを接続する連通管として機能する排水管と、
前記観賞用水槽と前記器具用水槽とを接続する給水管と、
前記観賞用水槽と前記器具用水槽との間で前記液体を循環させるための前記器具用水槽の内部に配されるポンプと、を備え、
前記観賞用水槽の底部と前記器具用水槽の底部とには、板材の一面が接して配され、
前記板材は、
前記観賞用水槽の内部に接続される前記排水管の一方の開口部となる第１穴部と、
前記観賞用水槽の内部に接続される前記給水管の一方の開口部となる第２穴部と、
前記器具用水槽の底部に接続される前記排水管の他方の開口部となる第３穴部と、
前記ポンプに接続される前記給水管の他方の開口部となる第４穴部と、
前記第１穴部と前記第３穴部と連結する前記板材の内部に設けられる溝形状の第５穴部と、
前記第２穴部と前記第４穴部と連結する前記板材の内部に設けられる溝形状の第６穴部と、を有し、
前記観賞用水槽の液面の位置と前記器具用水槽の液面の位置とが等しくなるように、前記第５穴部および前記第６穴部を介して前記観賞用水槽と前記器具用水槽との間で液体を移動させる、生物育成水槽。
【請求項２】
前記板材は、
第１板材と、第２板材と、前記第１板材と前記第２板材との間に挟まれた第３板材とによって形成され、
前記観賞用水槽の底部および前記器具用水槽の底部は、前記第１板材の一面で形成され、
前記第１板材は、
前記観賞用水槽の底部に前記第１穴部および前記第３穴部を有し、
前記器具用水槽の底部に前記第２穴部および前記第４穴部を有し、
前記第３板材は、
前記第１穴部と前記第３穴部とを連結するように前記第３部材を貫通して形成される溝形状の第５穴部と、
前記第２穴部と前記第４穴部とを連結するように前記第３部材を貫通して形成される溝形状の第６穴部と、を有し、
前記第２板材は、
前記第５穴部および前記第６穴部を覆う板材とされる、請求項１に記載の生物育成水槽。
【請求項３】
前記第５穴部の断面積は、前記第６穴部の断面積よりも大きいことを特徴とする、請求項１または請求項２に記載の生物育成水槽。
【請求項４】
前記器具用水槽の内部に前記液体に含まれる汚染物質を除去するための濾過装置が配される、請求項１または請求項２に記載の生物育成水槽。
【発明の詳細な説明】
【技術分野】
【０００１】
本発明は、生物育成水槽に関するものである。
【背景技術】
【０００２】
従来から、水中において、魚類をはじめとする動物、または、水草をはじめとする植物を育成するとともに、それらを観賞するための生物育成水槽が広く用いられている。このような生物育成水槽としては、単に水を蓄えてその中で生物を育成するだけでなく、さらに特別の機能を有するようにしたものが提案されている。例えば、観賞魚が連通管を通る際の景観のバリエーションが楽しめるようにした水槽が知られている（特許文献１）。また、観賞用の水槽型魚類養殖池の上部に二階建て式に観賞植物を植えた植物水耕栽培池（槽）を設置した魚類養殖・水耕栽培装置の技術が知られている（特許文献２）。また、水槽と濾過装置を有し、魚を生かしたまま消費地まで搬送できる可搬式生魚等保存装置の技術が知られている（特許文献３）。また、産業上の分野を問わず、周知技術として、連通管を用いたパスカルの原理が知られている。
【０００３】
特許文献１に記載の発明では、魚が連通管を通る際の景観のバリエーションを楽しむ目的のために連通管が用いられることが記載されており、連通管そのものを見せることを目的としている。また、特許文献２に記載の発明では、水槽を２つに分けて、用途の多様化を図っているが、水槽内に観賞者の視認を妨げる水槽を結ぶ配管が存在する。また、特許文献３に記載の発明では、濾過装置によって限られた水量を有効に活用し、魚を鮮度よく運搬する技術が開示されている。
【先行技術文献】
【特許文献】
【０００４】
【特許文献１】特開２００８−１８３００６号公報
【特許文献２】実用新案登録第３１５８２３３号公報
【特許文献３】特開平１１−１２７７２６号公報
【特許文献４】特開２００６−２７１２５４号公報
【特許文献５】特開２００３−１５９５８７号公報
【特許文献６】特開平０７−３２２７８８号公報
【特許文献７】実用新案登録第３１０８５４１号公報
【特許文献８】実用新案登録第３０２２８２４号公報
【特許文献９】実開平０５−０６０２６３号公報
【特許文献１０】特開２００２−０９５３８１号公報
【特許文献１１】特開２００９−１８９３６１号公報
【特許文献１２】特開平０５−１７６６５２号公報
【特許文献１３】実開平１０−０００２８２号公報
【特許文献１４】実用新案登録第３１１１９５３号公報
【特許文献１５】実公昭４８−３６９５３号公報
【発明の概要】
【発明が解決しようとする課題】
【０００５】
発明が解決しようとする課題は、生物を育成するための水槽の内部に配管、濾過装置、冷却・加熱器、または、液体の状態を所望の状態に維持するための他の器具を配置することなく空間を広く活用し、広範囲な方向から観賞できるようにするとともに、生物を育成する水槽内の液体の質を良好なものとするものである。
【課題を解決するための手段】
【０００６】
本発明の水槽は、水槽に溜められた液体の内部で育成される生物を観賞するために透明部材で形成される観賞用水槽と、前記液体の液質を所定品質に維持するための器具用水槽と、前記観賞用水槽と前記器具用水槽とを接続する連通管として機能する排水管と、前記観賞用水槽と前記器具用水槽とを接続する給水管と、前記観賞用水槽と前記器具用水槽との間で前記液体を循環させるための前記器具用水槽の内部に配されるポンプと、を備え、前記観賞用水槽の底部と前記器具用水槽の底部とには、板材の一面が接して配され、前記板材は、前記観賞用水槽の内部に接続される前記排水管の一方の開口部となる第１穴部と、前記観賞用水槽の内部に接続される前記給水管の一方の開口部となる第２穴部と、前記器具用水槽の底部に接続される前記排水管の他方の開口部となる第３穴部と、前記ポンプに接続される前記給水管の他方の開口部となる第４穴部と、前記第１穴部と前記第３穴部と連結する前記板材の内部に設けられる溝形状の第５穴部と、前記第２穴部と前記第４穴部と連結する前記板材の内部に設けられる溝形状の第６穴部と、を有し、前記観賞用水槽の液面の位置と前記器具用水槽の液面の位置とが等しくなるように、前記第５穴部および前記第６穴部を介して前記観賞用水槽と前記器具用水槽との間で液体を移動させる。
【発明の効果】
【０００７】
本発明の生物育成水槽によれば、観賞用水槽と器具用水槽とを分離して、観賞用水槽と器具用水槽との間に連通管を介在させて、観賞用水槽の液面の位置を管理して、観賞用水槽を広範囲な方向から観賞できるとともに、生物を育成する水槽内の液体の液質を良好なものとできる。
【図面の簡単な説明】
【０００８】
【図１】第１実施形態の生物育成水槽の断面を示す図である。
【図２】他の濾過の方式を示す図である。
【図３】第２実施形態の生物育成水槽の断面を示す図である。
【図４】第３実施形態の生物育成水槽の断面を示す図である。
【図５】第４実施形態の生物育成水槽の断面を示す図である。
【図６】第５実施形態の生物育成水槽の断面を示す図である。
【図７】第６実施形態の生物育成水槽の断面を示す図である。
【図８】第７実施形態の生物育成水槽を示す図である。
【図９】第８実施形態の生物育成水槽を示す図である。
【図１０】補助水槽の変形の実施形態を示す図である。
【図１１】連通管の取り付け位置の変形の実施形態を示す図である。
【図１２】密閉槽を備える場合における、冷却・加熱器の配置の変形の実施形態を示す図である。
【図１３】外置のポンプを用いる実施形態を示す図である。
【図１４】外置のポンプを用いる別の実施形態を示す図である。
【図１５】外置のポンプを用いるまた別の実施形態を示す図である。
【図１６】外置のポンプを用いるさらに別の実施形態を示す図である。
【図１７】実施形態の底面給排水ストレーナーを表面側と裏面側とから見た図である。
【図１８】直方体の観賞用水槽に四角形の底面給排水ストレーナーを配置した場合における、観賞用水槽を上方から見た模式図である。
【図１９】第１実施形態の生物育成水槽の一つの実施例を示す図である。
【図２０】実施例における生物育成水槽の底部の内部の構造を分解図で示す図である。
【発明を実施するための形態】
【０００９】
発明を実施するための生物育成水槽は、観賞用水槽と、器具用水槽と、連通管と、ポンプと、を備える。
【００１０】
第１実施形態ないし第３実施形態の生物育成水槽では、水槽に溜められた液体の内部で育成される生物を観賞するための観賞用水槽と、液体の液質を所定品質に維持するための器具用水槽と、観賞用水槽と器具用水槽とを接続する連通管と、観賞用水槽と器具用水槽との間で液体を循環させるためのポンプと、を備える。ここで、液体の液質を所定品質に維持するとは、例えば、濾過装置によって液体の内部に含まれる、塵等の不純物の含有量（濃度）を所定の量以下とすることが含まれる。また、例えば、冷却・加熱器によって液体の温度を所望の温度に保つことが含まれる。また、例えば、空気供給器によって空気を液体中に溶かして液体中の酸素量を所望の量とすることが含まれる。また、二酸化炭素供給器によって二酸化炭素を液体中に溶かして二酸化炭素量を所望の量とすることが含まれる。また、栄養(ミネラル)供給器によって栄養(ミネラル)を液体中に溶かして栄養(ミネラル)量を所望の量とすることが含まれる。その他、種々の器具を用いて液体の品質（液質）を所定品質に維持することを含むものである。
【００１１】
第１実施形態ないし第３実施形態の生物育成水槽では、観賞用水槽と器具用水槽とを連通管で接続しているので、観賞用水槽の液面と器具用水槽の液面との位置を等しくすることができる。第１実施形態では、ポンプは、観賞用水槽の底部から伸びる給水管と接続され、器具用水槽の液体を観賞用水槽に移動させ、または、観賞用水槽の液体を器具用水槽に移動させる。第２実施形態では、ポンプは、観賞用水槽の上部から伸びる給水管と接続され、器具用水槽の液体を観賞用水槽に移動させる。第３実施形態では、ポンプと給水管との間に、液体を貯蔵することができる密閉槽を配して、生物育成水槽を循環する液体の容量を増やしている。
【００１２】
第４実施形態ないし第６実施形態の生物育成水槽では、水槽に溜められた液体の内部で育成される生物を観賞するために透明部材で形成される観賞用水槽と、観賞用水槽の下部に配置され、前記液体の液質を所定品質に維持するための器具用水槽と、観賞用水槽と器具用水槽との間に配され、内壁で隔離された補助水槽第１隔離部と補助水槽第２隔離部とを有して形成される補助水槽と、観賞用水槽と補助水槽第１隔離部とを接続する連通管と、補助水槽第２隔離部と器具用水槽とを接続する排水管と、観賞用水槽と器具用水槽との間で液体を循環させるために器具用水槽の内部に配置されるポンプと、を備える。このようにして、器具用水槽を観賞用水槽の下部に配置することができる。
【００１３】
第４実施形態の生物育成水槽では、観賞用水槽とポンプとの間に、第２内壁で隔離された第２補助水槽第１隔離部と第２補助水槽第２隔離部とを有して形成される第２補助水槽を備え、ポンプは第２補助水槽第２隔離部に接続され、第２補助水槽第１隔離部は観賞用水槽と接続され、第２内壁の高さが、第１内壁の高さよりも高くされている。第５実施形態の生物育成水槽では、ポンプは、観賞用水槽の上部から伸びる給水管と接続され、器具用水槽の液体を観賞用水槽に移動させる。
【００１４】
第６実施形態の生物育成水槽では、水槽に溜められた液体の内部で育成される生物を観賞するために透明部材で形成される第１観賞用水槽と、第１観賞用水槽の下部に配置され、水槽に溜められた液体の内部で育成される生物を観賞するために透明部材で形成される第２観賞用水槽と、第２観賞用水槽の下部に配置され、前記液体の液質を所定品質に維持するための器具用水槽と、器具用水槽の内部に配されたポンプと、第１観賞用水槽と第２観賞用水槽との間に配され、第１内壁で隔離された第１補助水槽第１隔離部と第１補助水槽第２隔離部とを有して形成される第１補助水槽と、第１観賞用水槽と第１補助水槽第１隔離部とを接続する第１連通管と、第１観賞用水槽とポンプとの間に配され、第２内壁で隔離された第２補助水槽第１隔離部と第２補助水槽第２隔離部とを有して形成される第２補助水槽と、第１観賞用水槽と第２観賞用水槽とを接続する給排水管と、第２観賞用水槽と器具用水槽との間に配され、第３内壁で隔離された第３補助水槽第１隔離部と第３補助水槽第２隔離部とを有して形成される第３補助水槽と、第２観賞用水槽と第３補助水槽第１隔離部とを接続する第２連通管と、第３補助水槽第２隔離部から器具用水槽に液体を排出する排水管と、を備える。
【００１５】
上述した、第１実施形態ないし第６実施形態の生物育成水槽では、器具用水槽の内部にどのような器具を配するかは、自由に定め得るものである。例えば、生物育成水槽において、育成される生物の種類によっては、塵等の不純物の含有量（濃度）を所定の量以下とするための濾過装置を設けることが不要とされる場合もある。このような種類の生物を育成する場合には、器具用水槽の内部に濾過装置を設ける必要はない。また、濾過装置が必要とされる場合においても、必ずしも、器具用水槽の内部に濾過装置を設ける必要はない。また、器具用水槽の内部に、液体の温度を所望の温度に保つための冷却器・加熱器（冷却器または／および加熱器）を備えることもできるが、備えるか否かは任意に選択できる。また、濾過装置とポンプとを一体構成とすることもできる。その他の実施形態においても、器具用水槽の内部に配置する器具は同様な基準で適宜選択することができる。
【００１６】
第７実施形態の生物育成水槽では、水槽に溜められた液体の内部で育成される生物を観賞するために透明部材で形成される観賞用水槽と、観賞用水槽の下部に配置され、液体に含まれる汚染物質を除去するための器具用水槽と、器具用水槽の中に配される第１ポンプと第２ポンプと、第１ポンプと第２ポンプとを制御するポンプ制御部と、観賞用水槽と第１ポンプとの間に配され、第１内壁で隔離された第１補助水槽第１隔離部と第１補助水槽第２隔離部とを有して形成される第１補助水槽と、観賞用水槽と第２ポンプとの間に配され、第２内壁で隔離された第２補助水槽第１隔離部と第２補助水槽第２隔離部とを有して形成される第２補助水槽と、観賞用水槽と第１補助水槽第１隔離部とを接続する第１配管と、観賞用水槽と第２補助水槽第１隔離部とを接続する第２配管と、第２補助水槽第２隔離部と第１ポンプとを接続する第３配管と、第１補助水槽第２隔離部と第２ポンプとを接続する第４配管と、を備え、第１内壁と第２内壁とは等しい高さとされ、ポンプ制御部が、第１ポンプを動作させるときには第１配管が連通管として機能し、第１ポンプを動作させるときには第２配管が連通管として機能して、観賞用水槽の内部における液体の流れの方向を変化させる。また、第８実施形態の生物育成水槽では、第１ポンプないし第３ポンプの３つのポンプを備えて、２つのポンプを備える場合よりもさらに、複雑な液体の流れを発生させる。
【００１７】
以下に図面を参照して第１実施形態ないし第８実施形態、これらの変形の実施形態について順に説明をする。
【００１８】
（第１実施形態）
図１は第１実施形態の生物育成水槽の断面を示す図である。図１に示す生物育成水槽１は、観賞用水槽１１と器具用水槽１２とポンプ１３と排水管１４と給水管１５とを有している。観賞用水槽１１の中では、生物が育成されている。育成される生物の例としては、淡水魚、熱帯魚、珊瑚等の動物、淡水中で生息する水草、海水中で生息する海草等の植物が挙げられる。
【００１９】
観賞用水槽１１は、全面が透明部材（光透過性の部材）で形成され、若しくは、底面、または、器具用水槽１２側の面を除く他の面が透明部材で形成されている。透明部材の例としては、ガラス、プラステック等が挙げられる。このようにして観賞用水槽１１の内部を視認し、観賞用水槽１１に溜められた、水、塩水、または、海水（総称して液体と称する）の内部で育成される生物を観賞することができるようになされている。
【００２０】
観賞用水槽１１の底面には排水管１４の一方の端部と給水管１５の一方の端部が接続されている。そして、観賞用水槽１１の内部に蓄えられた液体が排水管１４に流出し、給水管１５からの液体が観賞用水槽１１に流入することができるようになされている。ここで、観賞用水槽１１の側の、排水管１４の端部と給水管１５の端部とに、生物が通過できず、液体と液体に含まれる汚染物質とが通過できる程度の粗さの網を配することによって、観賞用水槽１１の内部に生物を封じ込めることができる。
【００２１】
器具用水槽１２は、液体に含まれる汚染物質を除去して、液体の汚染を排除するために設けられている。器具用水槽１２は、透明部材、または、内部を視認できないようにするための不透明部材（光不透過性の部材）で形成されている。さらに、器具用水槽１２は、透明部材と不透明部材との中間にある適度に光を透過させる半不透明材で全体が形成されていてもよく、透明部材と不透明部材とを接合して、一部が視認できるように形成しても良い。器具用水槽１２の底面には排水管１４の他方の端部と給水管１５の他方の端部が接続されている。そして、器具用水槽１２の内部の液体が給水管１５に流出し、排水管１４からの液体が器具用水槽１２に流入することができるようになされている。
【００２２】
器具用水槽１２の内部にはポンプ１３が配されている。ポンプ１３には濾過のためのフィルタが設けられている。ポンプ１３は、観賞用水槽１１の内部の液体と器具用水槽１２の内部の液体とを循環させ、このフィルタによって汚染物質を取り除く。これによってフィルタを透過し、水質（液質）が良好なものとされた液体を器具用水槽１２から給水管１５に送り出す。給水管１５を通過した液体は、観賞用水槽１１に流入する。一方、パスカルの原理に基づき、観賞用水槽１１の液面の位置と器具用水槽１２の液面の位置とを等しくするように、観賞用水槽１１から器具用水槽１２に対して、排水管１４を介して液体が移動する。つまり、観賞用水槽１１の液面と器具用水槽１２の液面とには大気圧が加わるようにされているので、排水管１４は、２つの容器の底部を管で連結する連通管として機能することになる。図１に示す矢印は、液体の移動方向を示すものである。
【００２３】
このような生物育成水槽１では、観賞用水槽１１において育成されている生物は、器具用水槽１２に移動することはなく、液体のみが自由に観賞用水槽１１と器具用水槽１２の間を移動する。このために、観賞用水槽１１の液体の量と器具用水槽１２の液体の量とを合わせた量の液体が生物の育成に用いられ、生物が出す老廃物によって液体が汚染される割合が、器具用水槽１２を備えず観賞用水槽１１のみを備える場合に比べて少なくでき、液体の水質を良好なものとできる。例えば、観賞用水槽１１の液体の量が少ないものであっても、器具用水槽１２の液体の量が十分であれば、生物育成に支障を及ぼさない水質を確保できる。
【００２４】
また、観賞用水槽１１の底部に排水管１４と給水管１５とは接続されているので、観賞に際して目障となるこれらの配管に妨げられることなく観賞用水槽１１の内部は、側面３方向から視認することが可能となる。なお、観賞用水槽１１の器具用水槽１２の側の面を不透明部材で形成するか、器具用水槽１２を不透明部材で形成するか、観賞用水槽１１と器具用水槽１２との間に不透明な板、例えば、観賞用水槽１１を通して視認可能とされたディスプレイを配置するか、のいずれかの手法によって、器具用水槽１２の内部を視認できないようにすることができる。また、連通管の作用によって、観賞用水槽１１と器具用水槽１２との間は大きく離間させることができるので、このようにすれば、観賞用水槽の内部を側面４方向から視認することが可能となる。
【００２５】
この結果、視認に際する障害物が存在しない。観賞用水槽１１の内部におけるレイアウトの幅が広がる。例えば、観賞用水槽１１の内部に、種々の装飾物を配置することができる。また、様々の植物を自由に配置して色々な角度から観賞することができる。また、様々な動物の動きを色々な角度から観賞することができる。このようにして、観賞用水槽１１の内部の見えない箇所（死角）をなくすことができるので、生物の状態に異変が生じた場合にも迅速に察知できる。また、観賞用水槽１１の内部に置いた装飾用の小物に損傷が生じた場合にも直ちに発見して、取り替えることができる。
【００２６】
また、観賞用水槽１１の内部にはポンプ等の器具が配置されていないので、内部の掃除も容易である。同様に、器具用水槽１２の内部には生物が育成されていないので、器具用水槽１２の内部の掃除の際に、これらの生物に損傷を加える危険性を除去できる。
【００２７】
図１には、図示しないが、器具用水槽１２の内部には、ポンプ１３のみならず、液体の温度を一定に保つための加熱器、または、冷却器を配することもできる。このように、ホンプ１３、加熱器、冷却器を生物と隔離して配置することができるので、これらの機器のメンテナンスが容易となるとともに、生物が、ホンプ１３に吸い込まれ、加熱器、冷却器に接触する等して損傷を受ける危険性を回避できる。
【００２８】
ここで、加熱器は、例えば、熱帯魚のような暖かい海水で育つ生物を育成するために多用され、冷却器は、例えば、クリオネのような冷たい海水で育つ生物を育成するために多用される。いずれも、日本の風土にはなじまない生物であるが、加熱器、冷却器を用いることによって、このような生物の育成が可能とされる。器具用水槽１２の内部に加熱器、冷却器は配置されるので、加熱器、冷却器の必要とされる大きさに応じて器具用水槽１２の容量は自由に決定できる。
【００２９】
また、図１には、図示しないが、器具用水槽１２の内部には、動物を育成するための空気供給器、植物を育成するための二酸化炭素供給器を配することができる。さらには、無脊椎動物や植物のための栄養(ミネラル)供給器を配することができる。器具用水槽１２の内部で発生された空気、二酸化炭素または栄養は、給水管１５を介して観賞用水槽１１に供給される。そして、動物は、空気中の酸素を十分に得て成長することができる。また、植物は二酸化炭素を得て光合成によって酸素を発生しながら成長することができる。動物と植物とが観賞用水槽１１の中で共生する場合には、植物に二酸化炭素を供給して光合成によって発生した酸素を動物が利用するようにすることもできる。
【００３０】
図１に示す矢印は、ポンプ１３から液体が給水管１５に供給され、排水管１４によって観賞用水槽１１から器具用水槽１２に液体が排出される場合を示している。しかしながら、汚染除去の作用はポンプ１３を動作させて液体を循環させてフィルタによって汚染物質を除去すれば発揮されるものであるので、液体の流入、流出の方向を逆にしても同様の効果を生じる。つまり、図１に示す矢印が逆方向であっても同様の効果を生じるものである。
【００３１】
液体の流れが逆方向とする場合には液体は以下のように循環する。ポンプ１３によって、給水管１５を介して観賞用水槽１１から器具用水槽１２に液体が排出される。そして、連通管として機能する排水管１４によって器具用水槽１２から観賞用水槽１１に液体が排出される。
【００３２】
フィルタを有するポンプ１３が配置された器具用水槽１２と観賞用水槽１１とを分離して配置する第１実施形態における液体の濾過の方式と、考え得る他の濾過の方式とを比べて、以下に比較して説明をする。
【００３３】
図２は、他の濾過の方式を示す図である。図２（ａ）は上部濾過式であり、図２（ｂ）は底面濾過式であり、図２（ｃ）は外部濾過式であり、図２（ｄ）はオーバーフロー式である。
【００３４】
図２（ａ）に示す上部濾過式では、観賞用水槽１１１の上面に濾過装置が配置される。第１実施形態の観賞用水槽１１と観賞用水槽１１１とを比較すると、観賞用水槽１１では、その上部が完全に開放状態となっている。一方、観賞用水槽１１１では、その上部に濾過装置が配置されている。従って、観賞用水槽１１の方が、観賞用水槽１１１よりも、上方からの視認が容易である。また、観賞用水槽１１では、上方からの採光が容易であるが、観賞用水槽１１１では、上方からの採光に難がある。
【００３５】
図２（ｂ）に示す底面濾過式では、観賞用水槽１１２の内部に濾過装置が配置される。第１実施形態の観賞用水槽１１と観賞用水槽１１２とを比較すると、観賞用水槽１１では、その内部に濾過装置はない。一方、観賞用水槽１１２では、その内部に濾過装置が配置されている。従って、観賞用水槽１１の容量と観賞用水槽１１１の容量とを同一とすれば、観賞用水槽１１の方が、観賞用水槽１１１よりも、より広い空間を生物育成のための空間として使用できる。また、生物が同居する観賞用水槽１１１の濾過装置のメンテナンスには困難が伴うが、観賞用水槽１１ではメンテナンスが容易である。
【００３６】
図２（ｃ）に示す外部濾過式では、観賞用水槽１１３の外部に濾過装置が配置される。第１実施形態の観賞用水槽１１と観賞用水槽１１３とを比較すると、観賞用水槽１１では、その内部に配管はない。一方、観賞用水槽１１３では、その内部に濾過装置に連結された配管が配置され、その上部にシャワーパイプが配置されている。従って、観賞用水槽１１の方が、異物が目に付かずすっきりとした感じを観賞者に与える。
【００３７】
図２（ｄ）に示すオーバーフロー式では、観賞用水槽１１４の下部に濾過装置が配置される。第１実施形態の観賞用水槽１１と観賞用水槽１１４とを比較すると、観賞用水槽１１では、その内部に濾過装置および配管はない。一方、観賞用水槽１１４では、その内部に濾過装置に連結された配管が配置されている。従って、観賞用水槽１１の方が、異物が目に付かずすっきりとした感じを観賞者に与える。
【００３８】
要は、第１実施形態の生物育成水槽１では、器具用水槽１２の内部には、観賞を目的とするもの以外を配置して、観賞用水槽１１には、生物、装飾のための小物等の観賞に供するものだけを配置する。そして、観賞用水槽１１の底部と器具用水槽１２の底部とを排水管１４で接続する。排水管１４は連通管として機能して、観賞用水槽１１の液面の位置と器具用水槽１２の液面の位置とを等しくする。また、観賞用水槽１１の底部と器具用水槽１２の底部とを給水管１５で接続して、観賞用水槽１１と器具用水槽１２との間で液体を循環させる。このようにして、観賞用水槽１１の全体の形状を小さくしても良好な水質を長期的に維持でき、生物を多く入れ、大型の生物を育成することができるようになる。
【００３９】
ここで、液体を循環させるためにポンプ１３を用いる。ポンプ１３は、液体の入口と液体の出口があり、出口と入口のどちらを給水管１５に接続するかによって以下の２つのケースを取りうる。ポンプ１３が器具用水槽１２から観賞用水槽１１に給水管１５を介して液体を給水するようにし、その結果として排水管１４が観賞用水槽１１から器具用水槽１２に液体を排水するようにして液体を循環させるのが第１のケースである。ポンプ１３が観賞用水槽１１から器具用水槽１２に給水管１５を介して液体を給水するようにし、その結果として排水管１４が器具用水槽１２から観賞用水槽１１に液体を排水するようにして液体を循環させるのが第２のケースである。なお、第１のケースと第２のケースでは、観賞用水槽内の水流の向きが異なるものとなる。
【００４０】
（第２実施形態）
図３は第２実施形態の生物育成水槽の断面を示す図である。図１に示す各部と同一の部分については同一符号を付して説明を省略し、第１実施形態と異なる部分を中心として説明をする。図３に示す生物育成水槽２は、観賞用水槽２１と器具用水槽２２とポンプ１３と排水管１４と給水管２５を有している。排水管１４は第１実施形態に示すと同様に連通管として機能する。給水管２５は第１実施形態の給水管１５に替えて用いられるものであり、観賞用水槽２１の上部から給水をするために用いられる。給水管２５は、第１実施形態の給水管１５に比べて水漏れに対する対策が容易であり、生物育成水槽の作成がより容易となる。
【００４１】
要は、第２実施形態の生物育成水槽２では、第１実施形態の器具用水槽１２と同様に、器具用水槽２２の内部には、観賞を目的とするもの以外を配置して、観賞用水槽２１には、第１実施形態の観賞用水槽１１と同様に、生物、装飾のための小物等の観賞に供するものだけを配置する。そして、観賞用水槽２１の底部と器具用水槽２２の底部とを連通管として機能する排水管１４で接続する。第２実施形態が第１実施形態と異なる特徴点は、給水管２５を用いて観賞用水槽１１の上部から給水して、観賞用水槽２１と器具用水槽２２との間で液体を循環させる点にある。このようにして、観賞用水槽２１の全体の形状を小さくしても良好な水質を長期的に維持でき、生物を多く入れ、大型の生物を育成することができるようになる。
【００４２】
（第３実施形態）
図４は第３実施形態の生物育成水槽の断面を示す図である。図１、図２に示す各部と同一の部分については同一符号を付して説明を省略し、第１実施形態、第２実施形態と異なる部分を中心として説明をする。図４に示す生物育成水槽３は、観賞用水槽１１と器具用水槽３２とポンプ１３と排水管１４と給水管３５と給水管３６とを有している。排水管１４は、第１実施形態、第２実施形態に示すと同様に連通管として機能する。給水管３５、密閉槽３７および給水管３６は、第１実施形態の給水管１５、第２実施形態の給水管２５に替えて用いられるものであり、観賞用水槽１１の底部から給水をするために用いられる。
【００４３】
生物育成水槽３は、観賞用水槽１１と器具用水槽３２とポンプ１３とに加えて、給水管３５と給水管３６の間に配された密閉槽３７を有して形成されている。器具用水槽３２の機能は、第１実施形態の器具用水槽１２、第２実施形態の器具用水槽２２と同様である。密閉槽３７は密閉した空間とされ、ポンプ１３から給水管３６を介して供給される液体を貯蔵して、給水管３５に供給するためのものである。密閉槽３７の容量に相当する分量だけ、生物育成水槽３を循環する液体の量を増加させている。このように循環する液体の量を増やすことによって、循環する液体の汚染の度合いを軽減することができる。また、密閉槽３７をこのように密閉構造とすることによって密閉槽３７をどのような位置に配置しても、液体が生物育成水槽３の中を循環するようにすることができる。なお、密閉槽３７は使用時においては密閉した空間とされるが、密閉槽３７の内部の掃除を容易にし、あるいは、密閉槽３７の内部に濾材を入れたりできるように、メンテナンス時には、開封可能な構造を採用するようにしても良い。
【００４４】
図４に示す生物育成水槽３では、給水管３５は、器具用水槽３２の内部を通過し、器具用水槽３２の底部を貫通する構造とされている。このような構造を採用した理由は、給水管３５が通過するための余分な空間を削減するためである。器具用水槽３２を避けるようにして給水管３５を配管することも当然に可能である。
【００４５】
また、図４では矢印の向きに液体は流れるとして説明をしたが、密閉槽３７は給水管３５と同様の機能を有し、給水管３５の途中に液体を多量に蓄えることができる部分を配したものである。したがって、ポンプ１３が観賞用水槽１１から液体を吸い出すように作用する場合には、図４に示す矢印の逆方向に液体は流れ、液体が流れる方向が逆向きになる以外は、生じる効果は同一である。
【００４６】
要は、第３実施形態の生物育成水槽３では、第１実施形態の器具用水槽１２、第２実施形態の器具用水槽２２と同様に、器具用水槽３２の内部には、観賞を目的とするもの以外を配置して、観賞用水槽１１には、第１実施形態の観賞用水槽１１、第２実施形態の観賞用水槽２１と同様に、生物、装飾のための小物等の観賞に供するものだけを配置する。そして、観賞用水槽１１の底部と器具用水槽３２の底部とを連通管として機能する排水管１４で接続する。第２実施形態が第１実施形態、第２実施形態と異なる特徴点は、密閉槽３７を用いて生物育成水槽３を循環する液体の量を増加させている点である。このようにして、観賞用水槽１１の全体の形状を小さくしても良好な水質を長期的に維持でき、生物を多く入れ、大型の生物を育成することができるようになる。
【００４７】
（第４実施形態）
図５は第４実施形態の生物育成水槽の断面を示す図である。図１、図２、図３に示す各部と同一の部分については同一符号を付して説明を省略し、第１実施形態ないし第３実施形態と異なる部分を中心として説明をする。図５に示す生物育成水槽４は、観賞用水槽１１と器具用水槽４２とポンプ１３と補助水槽（第２補助水槽）４８と補助水槽（第１補助水槽）４９と排水管（第１排水管）４４と排水管（第２排水管）４６と給水管（第１給水管）４５と給水管（第２給水管）４７とを有している。観賞用水槽１１は器具用水槽４２の上方に配置されている。図５はポンプ１３の動作を停止した状態を示す図である。
【００４８】
補助水槽（第２補助水槽）４８は円筒状の外周部と底部を有して上方が開放された外壁（第２外壁）４８ａと長方形の内壁（第２内壁）４８ｂとを有している。外壁４８ａの内部に内壁４８ｂは設けられている。外壁４８ａと内壁４８ｂとは、外壁４８ａの底部と外壁４８ａの内側において相互に接着され、内壁４８ｂによって隔離された２つの部分である、補助水槽隔離部（第２補助水槽第１隔離部）４８ｃと補助水槽隔離部（第２補助水槽第２隔離部）４８ｄとが形成されている。
【００４９】
補助水槽（第１補助水槽）４９は円筒状の外周部と底部を有して上方が開放された外壁（第１外壁）４９ａと長方形の内壁（第１内壁）４９ｂとを有している。外壁４９ａの内部に内壁４９ｂは設けられている。外壁４９ａと内壁４９ｂとは、外壁４９ａの底部と外壁４９ａの内側において相互に接着され、内壁４９ｂによって隔離された２つの部分である、補助水槽隔離部（第１補助水槽第１隔離部）４９ｃと補助水槽隔離部（第１補助水槽第２隔離部）４９ｄとが形成されている。
【００５０】
排水管４４は観賞用水槽１１と補助水槽隔離部（第１補助水槽第１隔離部）４９ｃとを接続する連通管（第１連通管）として機能し、給水管４５は観賞用水槽１１と補助水槽隔離部（第１補助水槽第１隔離部）４９ｃとを接続する連通管（第２連通管）として機能する。排水管４４と給水管４５とが連通管として機能するために、観賞用水槽１１の液面の位置と補助水槽隔離部（第２補助水槽第１隔離部）４８ｃの液面の位置と補助水槽隔離部（第１補助水槽第１隔離部）４９ｃの液面の位置と、は、内壁４９ｂの高さ（以下、高さは、重力方向を基準とする高さを言うものである）と等しくなる。
【００５１】
内壁（第１内壁）４９ｂの高さに比べて、観賞用水槽１１の外壁１１ａの高さはＨ１だけ高くされ（図５を参照）、内壁（第２内壁）４８ｂの高さはＨ２だけ高くされている（図５を参照）。また、補助水槽隔離部（第２補助水槽第２隔離部）４８ｄの液体と補助水槽隔離部（第１補助水槽第２隔離部）４９ｄの液体は、器具用水槽４２に流れ込み、空となっている。なお、図５においては、Ｈ２＞Ｈ１となるように図示されているが、Ｈ１＞Ｈ２であっても良い。要は、内壁４９ｂの高さに対して、外壁１１ａと内壁４８ｂの高さの各々がより高ければ良いものである。
【００５２】
ここで、内壁４９ｂの高さに比べて、内壁４８ｂの高さがＨ２だけ高くされているのは、内壁４９ｂの高さによって液面の位置を決めるようにするためである。つまり、ポンプ１３が停止した状態においては、上述したように、観賞用水槽１１の液面の位置と補助水槽隔離部４８ｃの液面の位置と補助水槽隔離部４９ｃの液面の位置とが、相互に等しい高さになるために、補助水槽隔離部（第２補助水槽第１隔離部）４８ｃから内壁４８ｂを越えて、液体が器具用水槽４２に流こむ事態は生じることがない。
【００５３】
仮に、内壁４８ｂの高さが、内壁４９ｂの高さに比べて低いか、または、内壁４８ｂが存在しないとしても、ホンプ１３が動作している場合には、液体の循環機能に何ら問題が生じない。しかしながら、ホンプ１３が停止した場合には、内壁４８ｂの高さが、内壁４９ｂの高さに比べて低いか、または、内壁４８ｂが存在しない場合には、観賞用水槽１１の液体の一部、または、全部が補助水位槽４８を介して器具用水槽４２に流れ込んでしまい、生物の育成に致命的なダメージを与えるのみならず、器具用水槽４２の容量を過大なものとしなければ器具用水槽４２から液体が溢れることを防止できなくなってしまう。
【００５４】
ポンプ１３が動作している状態においては、図５において矢印で示す方向に液体は循環する。つまり、器具用水槽４２の液体は給水管４７から補助水槽隔離部４８ｄに流れ補助水槽隔離部４８ｄを満たす。そして、内壁４８ｂを乗り越え補助水槽隔離部４８ｃに流れ込む。そして、補助水槽隔離部４８ｃの水位と観賞用水槽１１の液面の位置とを等しくするように、補助水槽隔離部４８ｃから観賞用水槽１１に給水管４５を介して液体が流れ続ける。
【００５５】
観賞用水槽１１には給水管４５を介して液体が流れ込むが、連通管として機能する排水管４４の作用によって、観賞用水槽１１の液面の位置と補助水槽隔離部４９ｃの液面の位置とは等しく保たれる。つまり、補助水槽隔離部４９ｃの液面の位置は、液体が補助水槽隔離部４９ｄへオーバーフローすることによって内壁４９ｂの高さと等しくなろうとする。そして、排水管４４の連通管としての作用によって、観賞用水槽１１の液面の位置と補助水槽隔離部４９ｃの液面の位置とは、ポンプ１３が動作している場合にも等しく保たれることとなる。
【００５６】
ここで、ポンプ１３が動作している場合においても、給水管４５と排水管４４との各々は、観賞用水槽１１を接続する連通管として機能するので、原理的には、上述したように観賞用水槽１１の液面の位置と補助水槽隔離部４９ｃの液面の位置とは等しく保たれる筈である。しかしながら、このような原理状態は、給水管４５と排水管４４とが、単位時間当たりに通過する液体の量が無限大の通過能力（液体の通過抵抗が０）を有し、かつ、補助水槽４８と補助水槽４９の各々の容量が無限大である場合に成り立つものである。実際には、給水管４５と排水管４４とは有限の断面積を有するものであるから液体が通過するに際して抵抗があり、単位時間当たり一定容量の液体しか通過させることができない。また、このような抵抗に抗して液体を観賞用水槽１１に流し込むためには、圧力を液体に加えなければならないこととなる。
【００５７】
よって、原理状態ではない場合には以下の現象が発生する。ポンプ１３が動作している状態では、ポンプ１３が停止している場合に比べて、観賞用水槽１１の液面の位置は高くなる。その理由は、液体が、内壁４９ｂを越えて補助水槽隔離部４９ｃから補助水槽隔離部４９ｄへオーバーフローするためには、補助水槽隔離部４９ｃの液面の位置が内壁４９ｂの位置よりも高い必要があるためである。そして、排水管４４の連通管としての作用によって、観賞用水槽１１の液面の位置は補助水槽隔離部４９ｃの液面の位置と等しくなろうとするので、両方の液面の位置はポンプ１３の停止時よりも若干高くなる。なお、第１実施形態ないし第３実施形態においても、同様の理由によって、原理状態（例えば、排水系統の能力を無限にするために連通管の断面積を無限に大きくした場合）ではない場合には、ポンプが動作している状態では、ポンプが停止している場合に比べて、観賞用水槽の液面の位置は高くなる。
【００５８】
なお、排水管４４の断面積が小さい程（すなわち、通過抵抗が大きくなる程）、補助水槽隔離部４９ｃの断面積が小さい程（すなわち、液体に加わる圧力が小さくなり内壁４９をオーバーフローする液体の量が少なくなる程）観賞用水槽１１の液面の位置は高くなる。
【００５９】
また、補助水槽隔離部４８ｃの液面の位置は、単位時間当たりに循環する液体の量に応じて高くなる。単位時間当たりに循環する液体の量をより多くするためには、補助水槽隔離部４８ｃの液面の位置と観賞用水槽１１の液面の位置との落差をより大きくして液体により大きな圧力を加える必要があるからである。つまり、循環する液体の単位時間当たりの量が多くなる程、補助水槽隔離部４８ｃの液面の高さが高くなり、観賞用水槽１１へ流入する液体の量が多くなっている。
【００６０】
なお、排水管４４の断面積が小さい程（すなわち、通過抵抗が大きくなる程）、補助水槽隔離部４８ｃの断面積が小さい程（すなわち、液体に加わる圧力が小さくなり、観賞用水槽１１に流し込む液体の量が少なくなる程）補助水槽隔離部４８ｃの液面の位置は高くなる。
【００６１】
上述したように、観賞用水槽１１の液面の位置は、単位時間当たりに循環する液体の量に応じて、若干変化するが、ポンプ１３が停止している場合に比べた観賞用水槽１１の液面の位置の上昇は、高さＨ１（図５を参照）を限度として可能とされる。高さＨ１よりも液面の位置が高くなると、観賞用水槽１１の壁面から液体が流れ出してしまうからである。
【００６２】
さらに付け加えると、給水管４５、排水管４４、補助水槽隔離部４８ｃ、補助水槽隔離部４９ｃの断面積が小さいにもかかわらずに、ポンプ１３の液体送出能力が過大である場合には、補助水槽隔離部４８ｃ、補助水槽隔離部４９ｃの内部はすべて液体で満たされてしまい、さらに時間が経過すると補助水槽隔離部４８ｃ、補助水槽隔離部４９ｃから液体が溢れてしまうこととなり、もはや、所望の動作をしなくなってしまう。よって、実施形態では、ポンプ１３の単位時間当たりの液体を送り出す能力（以下、ポンプの能力と省略する）と、給水管４５、排水管４４、補助水槽隔離部４８ｃおよび補助水槽隔離部４９ｃの各断面積との関係を適正に選択して、このような事態が生じないようにしている。なお、第１実施形態ないし第３実施形態においても、同様の理由によって、ポンプの能力が、配管が連通管として機能する能力に比べて過渡に大きすぎる場合、例えば、ポンプの能力自体が過度に大きい場合のみならず、連通管の断面積が小さい場合には、観賞用水槽の液面の位置が高くなりすぎ、観賞用水槽から液体が溢れる場合もあり得る。よって、実施形態では、ポンプの能力、連通管の断面積を適宜に定めている。
【００６３】
そして、ポンプ１３の能力が一定の範囲の場合には、観賞用水槽１１の液面の位置を若干であるが上下に自動的に調整し、上述したような平衡状態を保ちながら、液体は、生物育成水槽４の内部を循環する。つまり、生物育成水槽４は、フィードバック制御系として安定した制御が可能とされる。
【００６４】
なお、ポンプ１３の能力が過度に大きくなった場合には、給水系の液体供給能力が排水系の排水能力を超えてしまい、上述した補助水槽隔離部４８ｃ、補助水槽隔離部４９ｃの溢れ出しが生じ、または、観賞用水槽１１の液面が外壁１１ａを越えて溢れ出しが生じることとなる。
【００６５】
要するに、観賞用水槽１１の液面の位置を一定に保つ作用は、給水管４５を介して流れ込む液体の量（給水管４５を単位時間当たりに通過する液体の体積）と、排水管４４を介して流れ出す液体の量（排水管４４を単位時間当たりに通過する液体の体積）と、が等しくなる場合に成り立つものである。上述したように、ポンプ１３の能力が過度に大きくなった場合には、給水管４５を介して流れ込む液体の量が、排水管４４を介して流れ出す液体の量よりも大きくなり、観賞用水槽１１の液面の位置が時間の経過とともに上昇し続け、器具用水槽４２の水位は、時間の経過とともに下降し続けることになる。
【００６６】
よって、ポンプ１３の能力を適正な範囲にとどめ、給水系の液体供給の能力が配水系の液体排出の能力を越えないようにすることが重要である。ここで、給水系は、ポンプ１３と給水管４７と補助水槽４８と給水管４５とで形成されており、排水系は、排水管４４と補助水槽４９と排水管４６とで形成されている。
【００６７】
また、ポンプ１３の能力自体が過大ではない場合でも、補助水槽４８の容量が、循環する液体の量と比較して十分ではない場合（補助水槽隔離部４８ｃの断面積が小さい場合）、給水管４５の断面積が小さい場合には、補助水槽４８の外壁を越えて液体が溢れ出してしまうこととなる。つまり、補助水槽４８がバッファ（調整池）として機能するに十分な容量を有することが重要である。なお、給水管４５は、連通管（第２連通管）としても機能し、補助水槽４８の液面の位置を観賞用水槽１１の液面の位置と等しくするように作用して、観賞用水槽１１に液体を供給する。
【００６８】
この点、排水系については、その排水能力が大きいことによって問題が生じることはないので、許される範囲で排水系の各部のサイズを大きくするのが望ましい。例えば、排水管４４、排水管４６、補助水槽隔離部４９ｃ、補助水槽隔離部４９ｄの断面積は可能な限り大きなものとすることが望ましい。また、液体が補助水槽隔離部４９ｄへ容易にオーバーフローできるような形態とするのが望ましい。
【００６９】
第４実施形態の生物育成水槽では、補助水槽を備えることによって、観賞用水槽の下部に器具用水槽を配置することができる。また、観賞用水槽と器具用水槽との離間距離は、排水管（排水管４６）と給水管（給水管４７）の長さを調整することによって任意の長さとすることができる。従って、排水管（排水管４６）と給水管（給水管４７）の長さを伸ばして、観賞用水槽と器具用水槽との離間距離を大きく取るようにして、器具用水槽に直接に手を入れて、器具用水槽の掃除、器具用水槽内の器具のメンテナンスを容易に行うことができる。
【００７０】
（第５実施形態）
図６は第５実施形態の生物育成水槽の断面を示す図である。図５に示す各部と同一の部分については同一符号を付して説明を省略し、第４実施形態と異なる部分を中心として説明をする。図６に示す生物育成水槽５は、観賞用水槽５１と器具用水槽４２とポンプ１３と排水管４４と排水管４６と給水管５５を有している。排水管４４は第５実施形態に示すと同様に連通管として機能する。給水管５５は第４実施形態の補助水槽４８に替えて用いられるものであり、観賞用水槽５１の上部から給水をするために用いられる。
【００７１】
（第６実施形態）
図７は第６実施形態の生物育成水槽の断面を示す図である。図５、図６に示す各部と同一の部分については同一符号を付して説明を省略し、第４実施形態、第５実施形態と異なる部分を中心として説明をする。図７に示す生物育成水槽６は、観賞用水槽（第１観賞用水槽）１１と補助水槽（第２補助水槽）４８と補助水槽（第１補助水槽）４９と排水管（第１排水管）４４と給水管（第１給水管）４５と給水管（第２給水管）４７とを有している。これらの各部材は、第４実施形態、第５実施形態におけると同様の構成を有している。
【００７２】
また、図７に示す生物育成水槽６は、観賞用水槽（第２観賞用水槽）６１と補助水槽（第３補助水槽）６９と給排水管（第１給排水管）６４と排水管（第２排水管）６５と排水管６６（第３排水管）と器具用水槽６２とポンプ１３とを有している。補助水槽６９（第３補助水槽）は、補助水槽４９と同様の構成とされており、補助水槽隔離部（第３補助水槽第１隔離部）６９ｃと補助水槽隔離部（第３補助水槽第２隔離部）６９ｄとを有している。排水管６５（第３連通管）は、連通管（第１連通管）として機能する排水管４４、連通管（第２連通管）として機能する給水管４５と同様に、連通管として機能する。給排水管６４は、補助水槽４９の排水管として機能するとともに観賞用水槽６１の給水管として機能する。給排水管６６は、補助水槽６９の排水管として機能するとともに器具用水槽６２に対する給水管として機能する。ポンプ１３は器具用水槽６２から液体をくみ上げて給水管４７を介して補助水槽４８に供給する。
【００７３】
図７に示す生物育成水槽６では、観賞用水槽１１が最上部、器具用水槽６２が最下部、観賞用水槽６１が観賞用水槽１１と器具用水槽６２との中間の中間部に配置されている。
【００７４】
生物育成水槽６では、観賞用水槽１１と観賞用水槽６１と器具用水槽６２とが、このような上下に配置される関係を有して、観賞用水槽１１と観賞用水槽６１との２つの観賞用水槽を有することを特長としている。そして、排水管（第１排水管）４４と排水管（第２排水管）６５とが各々連通管として機能することによって、ポンプ１３の停止中、運転中のいずれにおいても、観賞用水槽１１と観賞用水槽６１との各々の液面の位置を略一定位置に保つようにしている。ここで、器具用水槽６２の液面の位置を一定に保つための直接的な作用はないが、液体の総量が一定である場合には、結果的には、器具用水槽６２の液面の位置も一定に保たれることとなる。なお、観賞用水槽を２以上設ける場合には、観賞用水槽のいずれかに、目立たないように、器具用水槽６２に格納することができなかった器具を入れ、または、濾材を入れて濾過能力を強化することもできる。
【００７５】
（第７実施形態）
上述した、第１実施形態ないし第６実施形態のいずれにおいても、液体を循環させるポンプの数は一つとされた。そのために、給水と排水の方向は一定の方向とされた。しかしながら、海の中では潮の満ち干があり、海流の流れの中でしか成長することができない生物が存在する。例えば、珊瑚がその代表例である。また、海草の一部にはその様な性質を有するものが存在する。また、観賞者としても、潮に流され海水に揺らぐ海草を見ることで心の安らぎを感じることもある。このような理由から、給排水の方向（給水と排水の方向）を切替えて、自然界の海流の流れを水槽の中で作ることは意義のあることである。
【００７６】
これに応える技術としては、第１実施形態、第３実施形態で説明したように、ポンプ１３の液体の入口と出口とを入れ替えて、給水と排水の方向を切替える技術が考えられる。例えば、ポンプ１３の回転方向をモータの回転方向を切り替えて変化させて、同一配管を採用しながら給水と排水の方向を切替えることが考えられる。しかしながら、両方向に回転するポンプの入手は困難である。また、上述した第１実施形態ないし第６実施形態の中には、ポンプの回転方向を切替えることによっては、給水と排水の方向を切替えることができない技術も存在する。これに応えるものが、複数個のポンプを備える、第７実施形態、第８実施形態である。
【００７７】
図８は、第７実施形態の生物育成水槽を示す図である。図８に示す生物育成水槽７は、図５に示す生物育成水槽５と共通部分を有するので、同一構成部には、図５におけると同一の符号を付して、その説明を省略する。
【００７８】
生物育成水槽７では、生物育成水槽５における補助水槽４８に替えて補助水槽７８が用いられている。補助水槽７８は、補助水槽４９と同一の構成を有している。つまり、内壁７８ｂと内壁４９ｂとは同一の高さを有するようにされている。配管７４（第１配管）と配管７５（第２配管）と配管７６（第４配管）と配管７７（第３配管）は、給排水管として機能する。器具用水槽７２の内部にはポンプ１３（第１ポンプ）に加えてポンプ７３（第２ポンプ）が配されている。配管７７の端部はポンプ１３に連結され、配管７６の端部はポンプ７３に連結されている。
【００７９】
図８に記載された矢印はポンプ１３が動作する場合の液体の流れの方向を示し、ポンプ７３が動作する場合の液体の流れの方向は、これとは逆向きとなる。なお、ポンプ１３とポンプ７３との動作は、ポンプ制御部７９で制御される。ポンプ１３とポンプ７３との動作の組み合わせの数は、ポンプは２個であるので、２２＝４個あることになる。ポンプ１３とポンプ７３との両方が停止する。ポンプ１３が動作し、ポンプ７３が停止する。ポンプ７３が動作し、ポンプ１３が停止する。ポンプ１３とポンプ７３との両方が動作する。以上の４個である。ここで、ポンプ１３とポンプ７３との両方が動作することは意味がないので、実際には、これを除く３つの状態のいずれかが採用される。
【００８０】
ポンプ１３が動作する場合には、液体は、配管７７を通過して、補助水槽隔離部７８ｄを経て補助水槽隔離部７８ｃに流入し、配管７５から観賞用水槽１１へ流入する。そして、観賞用水槽１１の液面の位置が内壁４９ｂの高さと一致するように、配管７４から補助水槽隔離部４９ｃへ液体が流入し、補助水槽隔離部４９ｃから補助水槽隔離部４９ｄへ液体が流入し、配管７６を通過して器具用水槽７２へ戻る。この場合には、配管７４（第１配管）が連通管として機能し、配管７５（第２配管）は観賞用水槽１１に液体を供給する配管として機能することとなる。なお、配管７５は、連通管としても機能し、補助水槽７８の液面の位置を観賞用水槽１１の液面の位置と等しくするように作用して、観賞用水槽１１に液体を供給する。
【００８１】
ポンプ７３が動作する場合には、液体は、配管７６を通過して、補助水槽隔離部４９ｄを経て補助水槽隔離部４９ｃに流入し、配管７４から観賞用水槽１１へ流入する。そして、観賞用水槽１１の液面の位置が内壁７８ｂの高さと一致するように、配管７５から補助水槽隔離部７８ｃへ液体が流入し、補助水槽隔離部７８ｃから補助水槽隔離部７８ｄへ液体が流入し、配管７７を通過して器具用水槽７２へ戻る。この場合には、配管７５（第２配管）が連通管として機能し、配管７４（第１配管）は観賞用水槽１１に液体を供給する配管として機能することとなる。なお、配管７４は、連通管としても機能し、補助水槽４９の液面の位置を観賞用水槽１１の液面の位置と等しくするように作用して、観賞用水槽１１に液体を供給する。
【００８２】
このようにして、観賞用水槽１１の中で液体の流れる方向が変化する。ここで、例えば、液体の動きを海の潮流に似た動きとするためには、ポンプ１３とポンプ７３との同時停止の時間の長さの制御と、ポンプ１３とポンプ７３とのいずれかが動作する時間の長さの制御とをポンプ制御部７９が行う。ポンプ１３とポンプ７３との各々の動作時間を制御することによって、複雑な潮流に模した液体の流れを観賞用水槽の中に再現することができる。一般的な、海底が平坦な海における潮の流れを表現する場合には、ポンプ１３とポンプ７３とを交互に動作させる。
【００８３】
（第８実施形態）
図９は、第８実施形態の生物育成水槽を示す図である。図９に示す生物育成水槽８は、図８に示す生物育成水槽７と共通部分を有するので、同一構成部には、図８におけると同一の符号を付して、その説明を省略する。
【００８４】
生物育成水槽８では、生物育成水槽７における補助水槽４９、補助水槽７８に加えて補助水槽８８が用いられている。補助水槽８８は、補助水槽７８および補助水槽４９と同一の構成を有している。つまり、内壁８８ｂと内壁７８ｂと内壁４９ｂとは同一の高さを有するようにされている。配管７４と配管７５と配管７６と配管７７に加えて、配管８６と配管８７は、給排水管として機能する。器具用水槽８２の内部にはポンプ１３（第１ポンプ）、ポンプ７３（第２ポンプ）に加えてポンプ８３（第３ポンプ）が配されている。配管８７の端部はポンプ８３に連結されている。
【００８５】
図９に記載された矢印は、ポンプ１３が動作し、ポンプ７３とポンプ８３とが停止している場合の液体の流れの方向を示す。なお、ポンプ１３とポンプ７３とポンプ８３との動作は、ポンプ制御部８９で制御される。ポンプ１３とポンプ７３とポンプ８３との動作の組み合わせの数は、ポンプは３個であるので、２３＝８個あることになる。ポンプ１３とポンプ７３とポンプ８３とが停止する。ポンプ１３が動作し、ポンプ７３とポンプ８３とが停止する。ポンプ７３が動作し、ポンプ１３とポンプ８３とが停止する。ポンプ１３とポンプ７３との両方が動作し、ポンプ８３が停止する。ポンプ８３が動作し、ポンプ７３とポンプ１３とが停止する。ポンプ８３とポンプ１３とが動作し、ポンプ７３が停止する。ポンプ８３とポンプ７３との両方が動作し、ポンプ１３が停止する。ポンプ１３とポンプ７３とポンプ８３とが動作する。以上の８個である。ここで、ポンプ１３とポンプ７３とポンプ８３とが動作することは意味がないので、実際には、これを除く７つの状態のいずれかが採用される。
【００８６】
例えば、図９の矢印で示すように、ポンプ１３のみが動作する場合には、液体は、配管７７を通過して、補助水槽隔離部７８ｄを経て補助水槽隔離部７８ｃに流入し、配管７５から観賞用水槽１１へ流入する。そして、観賞用水槽１１の液面の位置が内壁４９ｂの高さと一致するように、配管７４から補助水槽隔離部４９ｃへ液体が流入し、補助水槽隔離部４９ｃから補助水槽隔離部４９ｄへ液体が流入し、配管７６を通過して器具用水槽８２へ戻る。同時に、観賞用水槽１１の液面の位置が内壁８８ｂの高さと一致するように、配管８６から補助水槽隔離部８８ｃへ液体が流入し、補助水槽隔離部８８ｃから補助水槽隔離部８８ｄへ液体が流入し、配管８６を通過して器具用水槽８２へ戻る。
【００８７】
同様にして３つのポンプの内の、０個、いずれか１個、３個のうちのいずれかの２個、の組み合わせからなる他の６つの状態は、上述したものとは異なる液体の流れとなり、観賞用水槽１１の中における液体の流れる方向を第７実施形態よりもより複雑に変化させることができる。ここで、例えば、液体の動きを海の潮流に似た動きとするためには、ポンプ１３とポンプ７３とポンプ８３との動作する時間の各時間の長さの制御をポンプ制御部８９が行う。
【００８８】
ポンプ、配管、補助水槽の数をより増やして、より複雑な液体の流れを観賞用水槽の中に実現することが可能である。一般式で書けば、ポンプの数を正の整数ｎとすれば、取り得る液体の流れのモードの数は、２ｎ−１となる。
【００８９】
「実施形態の変形実施形態」
以下に、第１実施形態ないし第６実施形態の変形の実施形態について説明をする。
【００９０】
（補助水槽の変形の実施形態）
上述した実施形態においては、補助水槽は、外壁と長方形の内壁とを有し、内壁は外壁の底部と外壁の内側において相互に接着され、内壁によって分離された２つの空間を形成するものであった。しかしながら、補助水槽の形態はこのようなものに限られず、図１０に示すようなものであっても良い。
【００９１】
図１０は、補助水槽の変形の実施形態を示す図である。図１０に示す補助水槽４８１は、２組の内部に空間を有する円筒のパイプを基本として形成されている。円筒パイプ（第１円筒パイプ）４８１ａの直径は、円筒パイプ（第２円筒パイプ）４８１ｂの直径よりも大きくされ、円筒パイプ４８１ａの内部に円筒パイプ４８１ｂは配置されている。円筒パイプ４８１ａ、円筒パイプ４８１ｂは、例えば、プラステック材で形成されている。図１０（ａ）は補助水槽４８１の斜視図を示し、図１０（ｂ）は補助水槽４８１のＡ−Ａ'断面を示す図である。
【００９２】
円筒パイプ４８１ａの上部は開放され、円筒パイプ４８１ａの下部（底部）は蓋によって閉じられている。円筒パイプ４８１ｂの上部４８１ｃは開放され、円筒パイプ４８１ｂの下部は、円筒パイプ４８１ａの側面を貫通して、そのまま、配管４８２として機能するようになされている。円筒パイプ４８１ｂが貫通する円筒パイプ４８１ａの側面部分には接着剤が塗布されて円筒パイプ４８１ａから液体が漏れるのを防止している。円筒パイプ４８１ａの側面には、穴が配され、この穴に配管４８３が取り付けられており、接着材によって円筒パイプ４８１ａからの水漏れを防止している。
【００９３】
このような、補助水槽４８１は、第４実施形態ないし第６実施形態における補助水槽に置き換えて使用することができる。ここで、配管４８２を、観賞用水槽の側に接続するか、濾過装置の側に接続するかは、任意に選択できる。つまり、配管４８２から液体が流入する場合には、円筒パイプ４８１ｂの上部４８１ｃから液体がオーバーフローすることによって、液面の位置が上部４８１ｃの高さ付近に保たれる。また、配管４８３から液体が流出する場合には、円筒パイプ４８１ａの内部の液体が、上部４８１ｃから円筒パイプ４８１ｂに流入することによって、液面の位置が上部４８１ｃの高さ付近に保たれる。
【００９４】
図１０（ｂ）に示す、円筒パイプ４８１ａと円筒パイプ４８１ｂで囲まれたドーナツ形状の断面積と、円筒パイプ４８１ｂで囲まれた円形状の断面積とは、各々任意の断面積とすることができる。円筒パイプ４８１ａと円筒パイプ４８１ｂで囲まれたドーナツ形状の断面積と、円筒パイプ４８１ｂで囲まれた円形状の断面積とを等しくする場合には、液体の単位長当たりの通過抵抗を均一とすることができる。多くの場合には、配管４８２の長さと配管４８３の長さは大きくは異ならない長さに配管されるので、単位長当たりの通過抵抗を均一とすれば、給水能力と排水能力とが略等しいものとできる。また、両者の断面積を等しくすることによって、ドーナツ形状の断面積を有する補助水槽隔離部に溜められる液体の量と、円形状の断面積を有する補助水槽隔離部に溜められる液体の量とは等しくなり、配管４８２と配管４８３とのいずれかの一方を給水管として用い、他方を排水管として用いる場合において、液体貯蔵能力は等しいものとなる。
【００９５】
（連通管の取り付け位置の変形の実施形態）
上述した実施形態では連通管は、観賞用水槽の底部に取り付けられるものとして説明をしてきたが、液面から下方に配置するのであれば、必ずしも底部ではなくても良い。
【００９６】
図１１は、第１実施形態に対応する連通管の取り付け位置の変形の実施形態を示す図である。観賞用水槽と器具用水槽の各々の側面に、連通管として機能する排水管１４１と給水管１５１との各々が連結されている。
【００９７】
（加熱器、冷却器の配置の変形の実施形態）
加熱器、冷却器を配置する場合には器具用水槽の内部に、加熱器、冷却器を配置することができるが、第３実施形態における生物育成水槽３では、密閉槽３７を備えるので、加熱器、冷却器を液体の内部ではなく、液体の外部に配置することができる。
【００９８】
図１２は、第３実施形態のように、密閉槽を備える場合における、冷却・加熱器の配置の変形の実施形態を示す図である。密閉槽３７の上部に冷却・加熱器３８は取り付けられている。冷却・加熱器３８はペルチェ素子３８ａ、放熱フィン３８ｂ、ファン３８ｃを有している。ペルチェ素子３８ａに流す電流の方向を切替えることによって、冷却・加熱器３８は加熱器または冷却器として機能させることができる。ここで、密閉槽３７の上部は熱伝導特性の良好なる素材、例えば、銅、アルミニューム等で形成されているので、冷却・加熱器３８は液体を効果的に加温・冷却することができるようになる。このような構造を採用すれば、冷却・加熱器３８は液体から隔離されているので、腐食の心配もなく、電気絶縁も容易であり、メンテナンスも容易なものとできる。
【００９９】
（観賞用水槽の数の変形実施形態）
図７に示す第６実施形態の生物育成水槽６では、上下方向に配置した、観賞用水槽１１と観賞用水槽６１の２個の水槽を用いた。このような配置は、連通管を構成の一部に含む補助水槽を採用することによって可能となったことは既に説明をした。ここで、上段の補助水槽４８は、ホンプ１３を介して供給された器具用水槽６２からの液体を連通管の作用を利用して観賞用水槽１１に送るとともに、ホンプ１３が停止したときに、連通管の作用を利用して観賞用水槽１１からの液体が器具用水槽６２に流れ込むのを防止する機能を有するものであった。
【０１００】
また、上段の補助水槽４９は、連通管の作用を利用して、観賞用水槽１１の液面の位置を所定位置とする機能を有するものであった。さらに、下段の補助水槽６９は、連通管の作用を利用して、観賞用水槽６１の液面の位置を所定位置とする機能を有するものであった。
【０１０１】
同様にして、観賞用水槽の数は２以上の任意の数（但し、ポンプ１３の能力の範囲で）とすることができる。例えば、観賞用水槽の数を３とする場合には、以下のようにする。図７に示す給排水管６６を、観賞用水槽６１よりも下部であり、器具用水槽よりも上部にある３番目の観賞用水槽（図示せず）の底部に連結して、連結管として機能させる。この３番目の観賞用水槽の底部に連結管を介して４番目の補助水槽（図示せず）を連結する。この４番目の補助水槽からの排水管（図示せず）を介して液体を器具用水槽６２に流すようにする。このような構成を採用することによって、観賞用水槽の数を４とすることができる。同様にして、観賞用水槽の数を５以上とすることもできる。
【０１０２】
（観賞用水槽、器具用水槽、補助水槽の蓋について）
外部からの埃の混入を防止し、生物育成水槽を移動するときの液体の零れを防止するために、観賞用水槽、器具用水槽、補助水槽の各開口部に蓋をすることも考えられる。この場合に蓋が空間を密閉するような構造とすると、液面に大気圧が加わらないこととなり、連通管としての機能の発揮が妨げられることとなる。よってこの場合には蓋に空気が流通する穴、隙間を設けることとなる。
【０１０３】
（補助水槽内に器具を配する実施形態）
上述した補助水槽を設ける実施形態では、補助水槽は専ら水位を調整する用途に用いている。しかしながら、実施形態の変形例としては、補助水槽の内部に器具、例えば、濾過器（フィルタ）、液体の温度を調整する冷却・加熱器を配置するようにしても良い。
【０１０４】
図示はしないが、濾過器、冷却・加熱器等を補助水槽または補助水槽に接続される流路に配することによって、液質を所定の品質に維持し、良好なる液質とする目的を達することができる。
【０１０５】
（ポンプの配置の他の実施形態）
水槽の水を循環させるポンプは、上述したような水中ポンプに限らず、水陸両用ポンプ（水中でも水中外でも使用可能なポンプ）、外置のポンプ、を利用することも可能である。
【０１０６】
図１３は、外置のポンプを用いる実施形態を示す図である。図１３に示す生物育成水槽１０は、図４に示す第３実施形態の変形例であり、ポンプ１３０は外置のポンプである点、給水管３６に替えて給水管３６１と給水管３６２とが用いられる点が、第３実施形態と異なる点である。器具用水槽３２からの液体は、給水管３６１、ポンプ１３０、給水管３６２を経て、密閉槽３７に至り、さらに、給水管３５を経て、観賞用水槽１１に注入される。
【０１０７】
図１４は、外置のポンプを用いる別の実施形態を示す図である。図１４に示す生物育成水槽１８１は、２つの観賞用水槽である、観賞用水槽１１１と観賞用水槽２１１と、を有している。また、連通管１９１と連通管１９２と連通管１９７とを有している。また、補助水槽１４８と補助水槽１４９とを有している。また、補助水槽１９０を有している。また、配管１９６を有している。生物育成水槽１８１では、補助水槽１４８と補助水槽１４９と補助水槽１９０の内部に各種の器具を入れることができるようになされている。外置のポンプ１３０は外置きポンプで、配管１２６から吸入した液体を配管１２５へ排出するようにされている。
【０１０８】
図１５は、外置のポンプを用いるまた別の実施形態を示す図である。図１５に示す生物育成水槽１８２は、図１４に示す生物育成水槽１８１において補助水槽１４８を補助水槽１９３に替えたものである。外置のポンプ１３０は外置きポンプで、配管１２６から吸入した液体を配管１２５へ排出するようにされている。ここで、配管１２５は補助水槽１９３の液面に接することがなく、このようにして、外置のポンプ１３０が停止した場合においても配管１２５から配管１２６へ液体が逆流することを防止している。
【０１０９】
図１６は、外置のポンプを用いるさらに別の実施形態を示す図である。図１６に示す生物育成水槽１８３は、図１５に示す生物育成水槽１８２において、補助水槽１９０を省いたものである。ここで、配管１２５は観賞用水槽１１１の液面に接することがなく、このようにして、外置のポンプ１３０が停止した場合においても配管１２５から配管１２６へ液体が逆流することを防止している。
【０１１０】
（排水用の開口部、給水用の開口部の保護について）
上述した実施形態では、観賞用水槽の底部、もしくは、側面部に排水用の開口部、給水用の開口部が設けられている。この場合に、開口部がむき出しになっていると、開口部から水槽内の生物を吸い込んでしまう可能性がある。また、大きなゴミを吸ってしまって連通管が詰まってしまう問題が生じる虞がある。従来の一般的な水槽のような砂利を敷き詰めても、砂利が開口部から吸われてしまう事態が生じることもある。そこで、水槽底面の内側に挿入される板（底面給排水ストレーナーと称する）を下駄状にして設置することで、このような問題を解決することができる。
【０１１１】
図１７は底面給排水ストレーナーを表面側と裏面側とから見た図である。底面給排水ストレーナーの形状は、観賞用水槽の形状が直方体なら四角形、円柱なら丸形とされる。図１７（ａ）は、四角形の底面給排水ストレーナーを表面側から見た図であり、図１７（ｂ）は、四角形の底面給排水ストレーナーを裏面側から見た図である。また、図１７（ｃ）は、丸形の底面給排水ストレーナーを表面側から見た図であり、図１７（ｂ）は、丸形の底面給排水ストレーナーを裏面側から見た図である。
【０１１２】
底面給排水ストレーナーは、下駄状の突起を有しており、この突起によって、底面より少し浮いた状態で観賞用水槽の底部に配される。また、この下駄状の突起は、平面部分よりも突出しており、底面給排水ストレーナーの突起の先端が観賞用水槽の壁面と接触して、底面給排水ストレーナーの平面部と観賞用水槽の壁面との間に空隙を形成するようにされている。
【０１１３】
図１８は、直方体の観賞用水槽に四角形の底面給排水ストレーナーを配置した場合における、観賞用水槽の上方から見た模式図である。矢印Ａ、矢印Ｂは液体の流れる方向を示すものであり、矢印Ａで示すように底面給排水ストレーナー２６１の平面部と観賞用水槽１６１の壁面との間の空隙から液体は排水され、矢印Ｂで示すように底面給排水ストレーナー２６１の平面部と観賞用水槽１６１の壁面との間の空隙から液体は給水される。ここで、下駄状の突起２６２は、開口部である給水口１６２と排水口１６３とを分離するように設けられている。このようにして、給水口１６２と排水口１６３とを分離することによって、液体の円滑な循環が保障される。
【０１１４】
また、底面給排水ストレーナー２６１の平面部と観賞用水槽１６１の壁面との間の空隙の幅次第で吸い込む物の大きさを調整できる。例えば、空隙の幅を２〜３mmにすれば、この幅以上のサイズを有する物が吸い込まれることがなくなる。砂利や小石を敷く際も、砂利の直径を、例えば、４mm以上とすれば、砂利を敷き詰めても吸い込まれる心配はない。また、底面給排水ストレーナー２６１の平面部に２〜３ｍｍの開口部をたくさん設けて、底面フィルタ（底面に配置されたフィルタ）の役割を兼ねることもできる。開口部よりも大きい砂利を敷き詰めれば液体が」排水される際に砂利の中を通ることとなり濾過が可能となる。
【０１１５】
（実施例）
図１９は第１実施形態の生物育成水槽の一つの実施例を示す図である。実施例の生物育成水槽１ａは、観賞用水槽１１の一つの実施例である観賞用水槽１０１ａと、器具用水槽１２の一つの実施例である器具用水槽１０２ａと、排水管１４の一つの実施例である排水管１０４ａと、給水管１５の一つの実施例である給水管１０５ａとを備えている。器具用水槽１０２ａは不透明部材で形成されているので、その内部のポンプを視認することができない。また、排水管１０４ａと、給水管１０５ａとは観賞用水槽１０１ａの不透明な底部１６の内部に配されているので、視認することができない。なお、観賞者から見えない部分にある、器具用水槽１２の一部を透明部材で形成するようにしても良い。例えば、観賞者の視認する側の反対側の面を透明部材で形成するようにしても良い。このようにして、観賞用水槽１０１ａを観賞する際の印象を良好なものとし、器具用水槽１２の内部に配置された器具の状態、例えば、濾過装置の汚れ、ポンプの状態を視認することができる。
【０１１６】
図１９に示すように、観賞用水槽１０１ａの内部は広く、器具用水槽１０２ａの方向以外からは、その内部を容易に見ることができる。また、底部１６の厚みは薄く、インテリア性も高いものとなっている。
【０１１７】
図２０は、実施例における底部１６の内部の構造を分解図で示す図である。底部１６は、３枚の板材である、板材１０７（第１板材）と板材１０８（第２板材）と板材１０９（第３板材）とで形成されている。板材の材料は、接着が容易な部材、例えば、アクリル板とされている。
【０１１８】
板材１０７は、観賞用水槽１０１ａの底を形成する部材であり、板材１０７の上部に観賞用水槽１０１ａ（図２０には図示しない）の壁面の下部が接着剤で接着されている。板材１０７には、表面と裏面とを貫く、穴部１０７ａと穴部１０７ｂと穴部１０７ｃと穴部１０７ｄとが配されている。
【０１１９】
板材１０８は所定の厚さｄ（例えば、１ｃｍ）とされる板材である。板材１０８には、表面と裏面とを貫く、溝形状の穴部１０８ａと溝形状の穴部１０８ｂとが配されている。穴部１０８ａは、その上方に穴部１０７ａと穴部１０７ｃとが配されるように形成され、穴部１０８ｂは、その上方に穴部１０７ｂと穴部１０７ｄとが配されるように形成されている。穴部１０８ａの溝幅Ｗ１は、例えば、６ｃｍとされ、穴部１０８ｂの溝幅Ｗ２は、例えば、１ｃｍとされている。
【０１２０】
板材１０９は、板材１０７とともに、板材１０８を挟み込むようにされ、板材１０８と板材１０７および板材１０８と板材１０９は、各々が接着剤で接着されている。このようにして、穴部１０８ａは断面積として６ｃｍ２を有する空間を形成し、穴部１０８ｂは断面積として１ｃｍ２を有する空間を形成している。穴部１０８ａは、図１における、排水管１４の実施例の排水管１０４ａとして機能し、穴部１０８ｂは、図１における、給水管１５の実施例の給水管１０５ａとして機能する。ここで、穴部１０８ａの断面積を穴部１０８ｂの断面積よりも大きくするのは、排水能力を給水能力よりも大きくするためである。
【０１２１】
穴部１０７ｃと穴部１０７ｄの上部には器具用水槽１０２ａ（図２０には図示しない）の壁面の底部が接着剤によって接着されている。そして、穴部１０７ｃは器具用水槽１０２ａの内部空間に連結され、穴部１０７ｄにはポンプ（図示しない）が連結されている。
【０１２２】
上述した、各実施形態、実施例の効果の主要なものを以下に簡単にまとめる。
【０１２３】
上述した、第１実施形態ないし第３実施形態、実施例のいずれにおいても、連通管として機能する配管で接続される、観賞用水槽、器具用水槽の高さ方向の位置関係（上下関係）は、各実施形態に説明されるように限定されるが、水平方向の位置については何ら限定されない。また、連通管をどのように配置するかは連通管として機能する限りでは大きな自由度がある、したがって、観賞用水槽が最も印象深くなるような配置が可能であり、観賞用水槽と器具用水槽および補助水槽との間に種々の目隠し（遮蔽物）を配することも可能となる。第１実施形態では、観賞用水槽の底部から器具用水槽と接続されるので配管が目立たない。また、実施例では、配管の厚みを薄くして、さらに、目立たなくすることができる。第２実施形態では、水漏れに注意を払うべき配管の数を減らすことができる。第３実施形態では密閉槽を備えることによって、液体の循環量を増やすことができ、水質の改善効果が高い。また、冷却・加熱器の取り付け、メンテナンスが容易となる。
【０１２４】
上述した、第４実施形態ないし第６実施形態のいずれにおいても、観賞用水槽の下に器具用水槽を配置することができる。第４実施形態では、観賞用水槽の底部から配管されるので配管が目立たない。また、第５実施形態では、水漏れに注意を払うべき配管の数を減らすことができる。また、第６実施形態では、観賞用水槽を上下の２段配置とすることができる。
【０１２５】
上述した、第７実施形態、第８実施形態のいずれにおいても、観賞用水槽の内部の液体の流れる方向を時間とともに変化させることができる。第７実施形態では３つの流れのモードを生成することができ、第８実施形態では７つの流れのモードを生成することができる。
【０１２６】
以上述べた、第１実施形態ないし第８実施形態、変形の実施形態の中から２以上の実施形態を組み合わせた実施形態も可能である。また、本発明は、上述した、実施形態に限られず、同一の技術思想の範囲に及ぶことは言うまでもない。
【符号の説明】
【０１２７】
１、１ａ、２、３、４、５、６、７、８、９、１０、１１、１２、１３  生物育成水槽、  １１  観賞用水槽、  １１ａ  外壁、  １２  器具用水槽、  １３  ポンプ（第１ポンプ）、  １４  排水管、  １５  給水管、  １６  底部、  ２１  観賞用水槽、  ２２  器具用水槽、  ２５  給水管、  ３２  器具用水槽、  ３５、３６、３６１、３６２  給水管、  ３７  密閉槽、  ３８  冷却・加熱器、  ３８ａ  ペルチェ素子、  ３８ｂ  放熱フィン、  ３８ｃ  ファン、  ４２  器具用水槽、  ４４  排水管、  ４５  給水管、  ４６  排水管、  ４７  給水管、  ４８  補助水槽（第２補助水槽）、  ４８ａ  外壁、  ４８ｂ  内壁、  ４８ｃ  補助水槽隔離部（第２補助水槽第１隔離部）、  ４８ｄ  補助水槽隔離部（第２補助水槽第１隔離部）、  ４９  補助水槽（第１補助水槽）、  ４９ａ  外壁、  ４９ｂ  内壁、  ４９ｃ  補助水槽隔離部（第１補助水槽第１隔離部）、  ４９ｄ  補助水槽隔離部（第１補助水槽第２隔離部）、  ５１  観賞用水槽、  ５５  給水管、  ６１  観賞用水槽（第２観賞用水槽）、  ６２  器具用水槽、  ６４  給排水管、６５  排水管、  ６６  給排水管、  ６９  補助水槽（第３補助水槽）、  ６９ｃ  補助水槽離隔部（第３補助水槽第１隔離部）、  ６９ｄ  補助水槽（第３補助水槽第２隔離部）、  ７２  器具用水槽、  ７３  ポンプ（第２ポンプ）、  ７４  配管（第１配管）、  ７５  配管（第２配管）、  ７６  配管（第４配管）、  ７７  配管（第３配管）、  ７８  補助水槽、  ７８ｂ  内壁、  ７８ｃ  補助水槽第１隔離部、  ７８ｄ  補助水槽第２隔離部、  ７９  ポンプ制御部、  ８２  器具用水槽、  ８３  ポンプ（第３ポンプ）、  ８６  配管、  ８７  配管、  ８８  補助水槽、  ８８ｂ  内壁、  ８８ｃ  補助水槽隔離部、  ８８ｄ  補助水槽隔離部、  ８９  ポンプ制御部、  １０１ａ  観賞用水槽、  １０２ａ  器具用水槽、  １０４ａ  排水管、  １０５ａ  給水管、  １０７  板材、  １０７ａ、１０７ｂ、１０７ｃ、１０７ｄ、１０８ａ、１０８ｂ  穴部、  １０８  板材、  １０９  板材、  １１１  観賞用水槽、  １１２  観賞用水槽、  １１３  観賞用水槽、  １１４  観賞用水槽、  １２５、１２６、１９６  配管、  １４８、１４９  補助水槽、  １９１、１９２、１９７  連通管、  １１１、２１１  観賞用水槽、  １３０  ポンプ、  １４１  排水管、  １５１  給水管、  １６１  観賞用水槽、  １６２  給水口、  １６３  排水口１６３、  ２６１  底面給排水ストレーナー、  突起  ２６２、  ４８１  補助水槽、  ４８１ａ  円筒パイプ、  ４８１ｂ  円筒パイプ、  ４８１ｃ  上部、  ４８２  配管、  ４８３  配管、  Ｗ１  溝幅、  Ｗ２  溝幅
【図１】
2011250782.tif 000003
【図２】
2011250782.tif 000004
【図３】
2011250782.tif 000005
【図４】
2011250782.tif 000006
【図５】
2011250782.tif 000007
【図６】
2011250782.tif 000008
【図７】
2011250782.tif 000009
【図８】
2011250782.tif 000010
【図９】
2011250782.tif 000011
【図１０】
2011250782.tif 000012
【図１１】
2011250782.tif 000013
【図１２】
2011250782.tif 000014
【図１３】
2011250782.tif 000015
【図１４】
2011250782.tif 000016
【図１５】
2011250782.tif 000017
【図１６】
2011250782.tif 000018
【図１７】
2011250782.tif 000019
【図１８】
2011250782.tif 000020
【図２０】
2011250782.tif 000021
【図１９】
2011250782.tif 000022